【手続補正書】
【提出日】平成26年4月25日(2014.4.25)
【手続補正１】
【補正対象書類名】明細書
【補正対象項目名】発明の名称
【補正方法】変更
【補正の内容】
【発明の名称】画像処理装置、画像処理方法および画像記録装置
【手続補正２】
【補正対象書類名】明細書
【補正対象項目名】０００１
【補正方法】変更
【補正の内容】
【０００１】
本発明は、画像処理装置、画像処理方法および画像記録装置に関し、詳しくは、いわゆるマルチパス記録のための、マスクを用いた記録データ生成のための画像処理に関するものである。
【手続補正３】
【補正対象書類名】明細書
【補正対象項目名】０００９
【補正方法】変更
【補正の内容】
【０００９】
本発明は、上記問題を解消し、記録比率が一様でないマスクを用いた場合に複数回の走査で記録が完成するバンド内で生じうる濃度ムラなどを低減することが可能な画像処理装置、画像処理方法および画像記録装置を提供することを目的とする。
【手続補正４】
【補正対象書類名】明細書
【補正対象項目名】００１０
【補正方法】変更
【補正の内容】
【００１０】
そのために本発明では、インクを吐出するための複数のノズルが所定方向に配列されたノズル列を有する記録ヘッドを記録媒体に対して走査させ、前記記録媒体の単位領域に対する複数回の走査において前記複数回の走査それぞれに対応する複数の記録データのそれぞれにしたがって、前記ノズル列内の複数のノズルが群に分割されてなる複数のノズル群のそれぞれから前記単位領域にインクを吐出することにより前記単位領域に画像を記録するために、記録すべき画像を示す画像データに基づいて前記複数の記録データを生成する画像処理装置であって、前記画像データの入力値とインクの色に対応する多値データの出力値との対応関係を定める変換テーブルを用いて、前記画像データをインクの色に対応する多値データに変換する変換手段と、前記変換手段によって変換された前記多値データそれぞれに基づいて２値データを生成する生成手段と、前記複数回の走査のそれぞれに対応し、それぞれ記録を許容する記録許容画素および記録を許容しない非記録許容画素が配置された複数のマスクパターンに基づいて、前記生成手段により生成された前記２値データを前記複数回の走査それぞれによる記録に分配することにより、前記複数の記録データを生成する分配手段と、を有し、前記変換手段は、前記複数のノズル群のそれぞれにおいて互いに対応する位置に配置されたそれぞれ所定数の第１のノズルによる記録に用いられる画像データを、第１の前記変換テーブルを用いて前記多値データに変換し、かつ、前記複数のノズル群のそれぞれにおいて互いに対応する位置に配置され、かつ前記所定数の第１のノズルと前記所定方向において異なる位置に配置された所定数の第２のノズルによる記録に用いられる画像データを、前記第１の変換テーブルと異なる第２の前記変換テーブルを用いて前記多値データに変換し、前記第１のノズルに対応する前記画像データと、前記第２のノズルに対応する前記画像データと、が互いに同じ色信号を示す場合、前記分配手段により前記第１の２値データが前記複数回の走査のそれぞれに分配されることで生成された複数の記録データに基づいて前記第１のノズルからインクが吐出されて前記単位領域に記録された画像と、前記分配手段により前記第２の２値データが前記複数回の走査のそれぞれに分配されることで生成された複数の記録データに基づいて前記第２のノズルからインクが吐出されて前記単位領域に記録された画像と、の濃度の違いが抑制されるように、前記第１、第２の変換テーブルにおける対応関係が定められていることを特徴とする。
【手続補正５】
【補正対象書類名】明細書
【補正対象項目名】００１１
【補正方法】変更
【補正の内容】
【００１１】
以上の構成によれば、記録比率が一様でないマスクを用いた場合に複数回の走査で記録が完成するバンド内で生じうる濃度ムラなどを低減することができる。
【手続補正６】
【補正対象書類名】特許請求の範囲
【補正対象項目名】全文
【補正方法】変更
【補正の内容】
【特許請求の範囲】
【請求項１】
インクを吐出するための複数のノズルが所定方向に配列されたノズル列を有する記録ヘッドを記録媒体に対して走査させ、前記記録媒体の単位領域に対する複数回の走査において前記複数回の走査それぞれに対応する複数の記録データのそれぞれにしたがって、前記ノズル列内の複数のノズルが群に分割されてなる複数のノズル群のそれぞれから前記単位領域にインクを吐出することにより前記単位領域に画像を記録するために、記録すべき画像を示す画像データに基づいて前記複数の記録データを生成する画像処理装置であって、
前記画像データの入力値とインクの色に対応する多値データの出力値との対応関係を定める変換テーブルを用いて、前記画像データをインクの色に対応する多値データに変換する変換手段と、
前記変換手段によって変換された前記多値データそれぞれに基づいて２値データを生成する生成手段と、
前記複数回の走査のそれぞれに対応し、それぞれ記録を許容する記録許容画素および記録を許容しない非記録許容画素が配置された複数のマスクパターンに基づいて、前記生成手段により生成された前記２値データを前記複数回の走査それぞれによる記録に分配することにより、前記複数の記録データを生成する分配手段と、を有し、
前記変換手段は、前記複数のノズル群のそれぞれにおいて互いに対応する位置に配置されたそれぞれ所定数の第１のノズルによる記録に用いられる画像データを、第１の前記変換テーブルを用いて前記多値データに変換し、かつ、前記複数のノズル群のそれぞれにおいて互いに対応する位置に配置され、かつ前記所定数の第１のノズルと前記所定方向において異なる位置に配置された所定数の第２のノズルによる記録に用いられる画像データを、前記第１の変換テーブルと異なる第２の前記変換テーブルを用いて前記多値データに変換し、
前記第１のノズルに対応する前記画像データと、前記第２のノズルに対応する前記画像データと、が互いに同じ色信号を示す場合、前記分配手段により前記第１の２値データが前記複数回の走査のそれぞれに分配されることで生成された複数の記録データに基づいて前記第１のノズルからインクが吐出されて前記単位領域に記録された画像と、前記分配手段により前記第２の２値データが前記複数回の走査のそれぞれに分配されることで生成された複数の記録データに基づいて前記第２のノズルからインクが吐出されて前記単位領域に記録された画像と、の濃度の違いが抑制されるように、前記第１、第２の変換テーブルにおける対応関係が定められていることを特徴とする画像処理装置。
【請求項２】
前記複数のマスクパターンは、前記複数のノズル群のうちの第１のノズル群に対応するマスクパターンにおける記録比率が、前記複数のノズル群のうちの前記第１のノズル群と前記所定方向に異なる位置に構成された第２のノズル群に対応するマスクパターンにおける記録比率よりも小さくなるように定められていることを特徴とする請求項１に記載の画像処理装置。
【請求項３】
前記第１のノズル群は、前記複数のノズル群内において前記第２のノズル群よりも前記所定方向における端部側に構成されていることを特徴とする請求項２に記載の画像処理装置。
【請求項４】
前記複数のマスクパターンは、前記ノズル列内の複数のノズルのうちの前記所定方向における第１の位置に配置されたノズルに対応する領域における記録比率が、前記ノズル列内の複数のノズルのうちの前記所定方向において前記第１の位置よりも前記ノズル列の前記所定方向における端部から遠い第２の位置に配置されたノズルに対応する領域における記録比率よりも低くなるように定められていることを特徴とする請求項１から３のいずれか１項に記載の画像処理装置。
【請求項５】
前記複数のマスクパターンは、前記ノズル列内の複数のノズルのうちの前記所定方向における前記第２の位置に配置されたノズルに対応する領域から前記所定方向における前記第１の位置に配置されたノズルに対応する領域まで位置が変わるにしたがって、記録比率が漸次的に低下するように定められていることを特徴とする請求項４に記載の画像処理装置。
【請求項６】
前記複数のマスクパターンのうちの所定のマスクパターンは、前記第１のノズルに対応する領域における記録比率と、前記第２のノズルに対応する領域における記録比率と、が互いに異なるように定められていることを特徴とする請求項１から５のいずれか１項に記載の画像処理装置。
【請求項７】
前記複数のマスクパターンのそれぞれは、いずれも前記第１のノズルに対応する領域における記録比率と、前記第２のノズルに対応する領域における記録比率と、が互いに異なるように定められていることを特徴とする請求項６に記載の画像処理装置。
【請求項８】
前記ノズル列内の前記第１のノズルと前記第２のノズルに共通に対応する測色用変換テーブルを用い、同じ色信号を示す所定の画像データを前記第１のノズルに対応する第１の測色用多値データと前記第２のノズルに対応する第２の測色用多値データのそれぞれに変換する第２の変換手段と、
前記第２の変換手段により変換された前記第１、第２の測色用多値データそれぞれに基づいて、インクの色に対応する第１、第２の測色用２値データを生成する第２の生成手段と、
前記複数のマスクパターンに基づいて、前記第２の生成手段により生成された前記第１、第２の測色用２値データを前記複数回の走査のそれぞれに分配することにより、複数の測色用記録データを生成する第２の分配手段と、
前記第２の分配手段により生成された前記複数の測色用記録データにしたがってインクを吐出することにより、前記記録媒体上に測色画像を記録するように制御する記録制御手段と、
前記記録制御手段により記録された前記測色画像に基づいて、前記第１、第２の変換テーブルを取得する取得手段と、を更に有し、
前記変換手段は、前記取得手段によって取得された前記変換テーブルを用いて変換を行うことを特徴とする請求項１から７のいずれか１項に記載の画像処理装置。
【請求項９】
前記記録制御手段により記録された前記測色画像のうち、前記第１のノズルからインクが吐出されて記録された領域と、前記第２のノズルからインクが吐出されて記録された領域と、は互いに異なる濃度であることを特徴とする請求項８に記載の画像処理装置。
【請求項１０】
前記複数のノズル群は、それぞれＮ個のノズルにより構成され、前記第１のノズルは、前記複数のノズル群のそれぞれにおいて一方の端部に配置されたそれぞれＭ（Ｍは１≦Ｍ≦Ｎ／２を満たす自然数）個のノズルにより構成され、前記第２のノズルは、前記複数のノズル群のそれぞれにおいて他方の端部に配置されたそれぞれＭ個のノズルにより構成されていることを特徴とする請求項１から９のいずれか１項に記載の画像処理装置。
【請求項１１】
インクを吐出するための複数のノズルが所定方向に配列されたノズル列を有する記録ヘッドを記録媒体に対して走査させ、前記記録媒体の単位領域に対する複数回の走査において前記複数回の走査それぞれに対応する複数の記録データのそれぞれにしたがって、前記ノズル列内の複数のノズルが群に分割されてなる複数のノズル群のそれぞれから前記単位領域にインクを吐出することにより前記単位領域に画像を記録するために、記録すべき画像を示す画像データに基づいて前記複数の記録データを生成する画像処理方法であって、
前記画像データの入力値とインクの色に対応する多値データの出力値との対応関係を定める変換テーブルを用いて、前記画像データをインクの色に対応する多値データに変換し、
変換された前記多値データそれぞれに基づいて２値データを生成する生成し、
前記複数回の走査のそれぞれに対応し、それぞれ記録を許容する記録許容画素および記録を許容しない非記録許容画素が配置された複数のマスクパターンに基づいて、生成された前記２値データを前記複数回の走査それぞれによる記録に分配することにより、前記複数の記録データを生成し、
前記複数のノズル群のそれぞれにおいて互いに対応する位置に配置されたそれぞれ所定数の第１のノズルによる記録に用いられる画像データを、第１の前記変換テーブルを用いて前記多値データに変換し、かつ、前記複数のノズル群のそれぞれにおいて互いに対応する位置に配置され、かつ前記所定数の第１のノズルと前記所定方向において異なる位置に配置された所定数の第２のノズルによる記録に用いられる画像データを、前記第１の変換テーブルと異なる第２の前記変換テーブルを用いて前記多値データに変換し、
前記第１のノズルに対応する前記画像データと、前記第２のノズルに対応する前記画像データと、が互いに同じ色信号を示す場合、前記第１の２値データが前記複数回の走査のそれぞれに分配されることで生成された複数の記録データに基づいて前記第１のノズルからインクが吐出されて前記単位領域に記録された画像と、前記第２の２値データが前記複数回の走査のそれぞれに分配されることで生成された複数の記録データに基づいて前記第２のノズルからインクが吐出されて前記単位領域に記録された画像と、の濃度の違いが抑制されるように、前記第１、第２の変換テーブルにおける対応関係が定められていることを特徴とする画像処理方法。
【請求項１２】
画像を記録するための画像記録装置であって、
インクを吐出するための複数のノズルが所定方向に配列されたノズル列を有する記録ヘッドを記録媒体に対して走査させ、前記記録媒体の単位領域に対する複数回の走査において前記複数回の走査それぞれに対応する複数の記録データのそれぞれにしたがって前記ノズル列内の複数のノズルが群に分割されてなる複数のノズル群のそれぞれから前記単位領域にインクを吐出することにより、前記単位領域に画像を記録する記録手段と、
画像データの入力値とインクの色に対応する多値データの出力値との対応関係を定める変換テーブルを用いて、記録すべき画像を示す画像データをインクの色に対応する多値データに変換する変換手段と、
前記変換手段によって変換された前記多値データそれぞれに基づいて２値データを生成する生成手段と、
前記複数回の走査のそれぞれに対応し、それぞれ記録を許容する記録許容画素および記録を許容しない非記録許容画素が配置された複数のマスクパターンに基づいて、前記生成手段により生成された前記２値データを前記複数回の走査それぞれによる記録に分配することにより、前記複数の記録データを生成する分配手段と、を有し、
前記変換手段は、前記複数のノズル群のそれぞれにおいて互いに対応する位置に配置されたそれぞれ所定数の第１のノズルによる記録に用いられる画像データを、第１の前記変換テーブルを用いて前記多値データに変換し、かつ、前記複数のノズル群のそれぞれにおいて互いに対応する位置に配置され、かつ前記所定数の第１のノズルと前記所定方向において異なる位置に配置された所定数の第２のノズルによる記録に用いられる画像データを、前記第１の変換テーブルと異なる第２の前記変換テーブルを用いて前記多値データに変換し、
前記第１のノズルに対応する前記画像データと、前記第２のノズルに対応する前記画像データと、が互いに同じ色信号を示す場合、前記分配手段により前記第１の２値データが前記複数回の走査のそれぞれに分配されることで生成された複数の記録データに基づいて前記第１のノズルからインクが吐出されて前記単位領域に記録された画像と、前記分配手段により前記第２の２値データが前記複数回の走査のそれぞれに分配されることで生成された複数の記録データに基づいて前記第２のノズルからインクが吐出されて前記単位領域に記録された画像と、の濃度の違いが抑制されるように、前記第１、第２の変換テーブルにおける対応関係が定められていることを特徴とする画像記録装置。